(57)【要約】      （修正有）【課題】アシストフックを二本のフックが具えられた構成としながらも、スピナーブレードとアシストラインとの絡み付きを生じることがなく、確実なフッキングを図ることのできる新規なアシストフック並びにこれを具えたルアーの提供。【解決手段】ルアー１のボディ２に具えられたアイに接続される環体５５に対して組み付けられる、アシストライン５１の両端にフック５０が具えられ、前記環体５５から近い箇所に第一フック５０Ａが位置し、この第一フック５０Ａよりも環体５５から遠い箇所に第二フック５０Ｂが位置するように設定されるとともに、前記第二フック５０Ｂに対してスイベルＳを介在させてスピナーブレード６が具えられていることを特徴とする。【選択図】図１
2020156322.tif 000002
【特許請求の範囲】
【請求項１】
ルアーのボディに具えられたアイに対して接続されるアシストフックであって、
このものは、前記アイに接続される環体に対して組み付けられる、アシストラインの両端にフックが具えられ、
前記環体から近い箇所に第一フックが位置し、
この第一フックよりも環体から遠い箇所に第二フックが位置するように設定されるとともに、
前記第二フックに対してスイベルを介在させてスピナーブレードが具えられていることを特徴とするアシストフック。
【請求項２】
前記第一フックと第二フックとは、側面視において、曲げ方向が逆になるように位置するようにセッティングされ、
且つ前記環体と第二フックに対するスイベルの固定個所との間の距離が、
前記環体と第一フックにおける針先との間の距離よりも
長くなるように設定されていることを特徴とする請求項１記載のアシストフック。
【請求項３】
前記スイベルは、第二フックのシャンクにおける、針先に対して対向する部位の裏側に具えられることを特徴とする請求項１または２何れかに記載のアシストフック。
【請求項４】
前記請求項１、２または３記載のアシストフックが、具えられていることを特徴とするルアー。
【発明の詳細な説明】
【技術分野】
【０００１】
本発明はルアーのボディに具えられたアイに対して接続され、確実なフッキングを図ることのできるアシストフック並びにこれを具えたルアーに係るものである。
【背景技術】
【０００２】
ルアーフィッシングに用いられるルアーの一つに、メタルジグと呼ばれるものがある。この種のルアー１′は、鉛、亜鉛、タングステン等の重い金属を素材としてボディ２′が形成されるものであり、例えば船上からルアー１′を一旦海底まで落とし込み、しゃくり上げるようにして巻き上げるバーチカルジギングと呼ばれる釣り方に供される。
前記メタルジグタイプのルアー１′の基本構成は図４（ａ）に示すように、ボディ２′の後部に具えられた後方アイ４′にスプリットリング７′を用いてトレブルフックＴが接続されたものである。
【０００３】
ところでブリ、ヒラマサ、カツオ等のいわゆる青物は、ベイトフィッシュを捕食するときに、頭あるいは腹付近を狙う習性があり、図４（ａ）に示したルアー１′ではフッキングしないことが多い。このため図４（ｂ）に示すように、前方アイ３′にアシストライン５１′に結束されたアシストフック５′を設け、フック５０′が頭から腹の間に位置するようにして、フッキング率の向上を図ることが行われている。
また根掛りを防ぎたい状況の場合には、図４（ｃ）に示すように後方アイ４′にもアシストフック５′を設けることも行われている。
【０００４】
更にメタルジグの対象魚は、ベイトの周囲の海水ごと吸い込んで丸飲みする捕食スタイルが多く、吸い込みが弱いマダイ等を狙うときには、図４（ｄ）に示すようにアシストフック５′を二本のフック５０′が具えられた構成とすることにより、フッキング率の向上を図ることが行われている（例えば特許文献１、図２参照）。
また対象魚に対してより強烈な視覚的アピールをするために、同じく図４（ｄ）に示すようにアシストフック５′に、回転するスピナーブレード６′をスイベルＳを用いて組み付けることも行われている。
【０００５】
しかしながら前記スピナーブレード６′及びスイベルＳは、後方アイ４′とアシストフック５′とを接続するスプリットリング７′に取り付けられるため、アシストライン５１′に絡んでしまったり、針先５０５′がスプリットリング７′に入り込んでしまったりして、本来のスピナーブレード６′の視覚的アピールが成されないばかりでなく、フッキングを妨げてしまうことがあった。
【先行技術文献】
【特許文献】
【０００６】
【特許文献１】特開２０１８−１０２２８１公報
【発明の概要】
【発明が解決しようとする課題】
【０００７】
本発明はこのような背景に基づいてなされたものであって、アシストフックを二本のフックが具えられた構成としながらも、スピナーブレードとアシストラインとの絡み付きを生じることがなく、確実なフッキングを図ることのできる新規なアシストフック並びにこれを具えたルアーの開発を技術課題としたものである。
【課題を解決するための手段】
【０００８】
すなわち請求項１記載のアシストフックは、ルアーのボディに具えられたアイに対して接続されるアシストフックであって、このものは、前記アイに接続される環体に対して組み付けられる、アシストラインの両端にフックが具えられ、前記環体から近い箇所に第一フックが位置し、この第一フックよりも環体から遠い箇所に第二フックが位置するように設定されるとともに、前記第二フックに対してスイベルを介在させてスピナーブレードが具えられていることを特徴として成るものである。
【０００９】
また請求項２記載のアシストフックーは、前記要件に加え、前記第一フックと第二フックとは、側面視において、曲げ方向が逆になるように位置するようにセッティングされ、且つ前記環体と第二フックに対するスイベルの固定個所との間の距離が、前記環体と第一フックにおける針先との間の距離よりも長くなるように設定されていることを特徴として成るものである。
【００１０】
更にまた請求項３記載のアシストフックは、前記要件に加え、前記スイベルは、第二フックのシャンクにおける、針先に対して対向する部位の裏側に具えられることを特徴として成るものである。
【００１１】
また請求項４記載のルアーは、前記請求項１、２または３記載のアシストフックが、具えられていることを特徴として成るものである。
そしてこれら各請求項記載の発明の構成を手段として前記課題の解決が図られる。
【発明の効果】
【００１２】
本発明によれば、アシストフックを、第一フックと第二フックとが具えられた構成として確実なフッキングを図ることできるとともに、スピナーブレードとアシストラインとの絡み付きを防止することができる。
【図面の簡単な説明】
【００１３】
【図１】本発明のアシストフック並びにルアーを示す側面図である。
【図２】アシストフックを示す分解図（ａ）及び側面図（ｂ）である。
【図３】第一フックと第二フックの曲がり方向の設定を異ならせたアシストフックを示す側面図である。
【図４】既存のメタルジグとしてのルアーを示す側面図である。
【発明を実施するための形態】
【００１４】
以下本発明のアシストフック並びにこれを具えたルアーの最良の形態について、図示の実施例に基づいて説明するが、この実施例に対して、本発明の技術的思想の範囲内において適宜変更を加えることも可能である。
【実施例】
【００１５】
図中符号１で示すものが本発明のルアーであって、このものは小魚を模したボディ２の前後に前方アイ３及び後方アイ４が具えられ、これらアイのいずれか一方または双方に本発明のアシストフック５が具えられて成るものである。図１に示す実施例では、後方アイ４のみにアシストフック５が具えられている。
なおルアー１はメタルジグと呼ばれるものであり、鉛、亜鉛、タングステン等の重い金属を素材としてボディ２が形成され、例えば船上からルアー１を一旦海底まで落とし込み、しゃくり上げるようにして巻き上げるバーチカルジギングと呼ばれる釣り方に供されるものである。
【００１６】
また前記アシストフック５は図２（ｂ）に示すように、環体５５に対して組み付けられるアシストライン５１の両端にフック５０が具えられ、前記環体５５から近い箇所に第一フック５０Ａが位置し、この第一フック５０Ａよりも環体５５から遠い箇所に第二フック５０Ｂが位置するように設定されるとともに、前記第二フック５０Ｂに対してスイベルＳを介在させてスピナーブレード６が具えられて構成されている。
なお前記環体５５はステンレス等を素材とする継ぎ目の無い打抜丸環である。
【００１７】
ここで前記アシストライン５１としては、一例としてＰＥライン（ポリエチレン素材の細い糸数本（主に４本または８本）が編み込まれた撚り糸）が採用される。
またスイベルＳをフック５０に固定するために用いられる括り糸５２およびセキ糸５３としては、一例としてＰＥライン、ケブラーライン、ナイロンライン等が採用される。
そして第一フック５０Ａについては、チモト５０１周辺のシャンク５０２に対して、アシストライン５１の一端をセキ糸５３を巻くことによって一体化し、適宜接着剤を用いて固定した後、熱収縮チューブ５４を被せてこれを収縮させ、セキ糸５３の保護が図られる。
なおこの実施例では図２に拡大して示すように、フック５０の側面を平坦に平打ち加工するようにした。
【００１８】
一方、第二フック５０Ｂについては、チモト５０１周辺のシャンク５０２に対して、アシストライン５１の一端と、スイベルＳの環部に挿通して折り返した括り糸５２を、セキ糸５３を巻くことによって一体化し、適宜接着剤を用いて固定した後、熱収縮チューブ５４を被せてこれを収縮させ、セキ糸５３の保護が図られる。このとき、前記括り糸５２およびスイベルＳは、第二フック５０Ｂのシャンク５０２における、針先５０５に対して対向する部位の裏側に具えられようにするものであり、アシストライン５１の一端と括り糸５２とによってシャンク５０２を挟み込み、その上からセキ糸５３を巻き付けるようにする。
【００１９】
そして上述のようにして一端に第一フック５０Ａが具えられ、他端に第二フック５０Ｂが具えられたアシストライン５１を、前記環体５５に組み付けることによりアシストフック５が構成される。この実施例では図２（ｂ）に示すように側面視において、第一フック５０Ａと第二フック５０Ｂとが、曲げ方向が逆になるように位置するようにセッティングされ、且つ環体５５と第二フック５０Ｂに対するスイベルＳの固定個所との間の距離が、前記環体５５と第一フック５０Ａにおける針先５０５との間の距離よりも長くなるように設定される。
【００２０】
そして上述のように構成・設定された本発明のアシストフック５を、ボディ２における後方アイ４に対して、スプリットリング７を介在させて組付けることにより、本発明のルアー１が構成されるものであり、このものは、例えば船上からルアー１を一旦海底まで落とし込み、しゃくり上げるようにして巻き上げるバーチカルジギングと呼ばれる釣り方に供される。
この際、ルアー１（メタルジグ）の対象魚の多くは、ベイトの周囲の海水ごと吸い込んで丸飲みする捕食スタイルであるが、特に吸い込みが弱いマダイ等を狙うときに、本発明のルアー１は、二本のフック５０（第一フック５０Ａ、第二フック５０Ｂ）が具えられているため、フッキング率の向上を図ることができる。
またスピナーブレード６の回転により、対象魚に対してより強烈な視覚的アピールをすることができるため、バイトを誘って釣果の向上を図ることができる。
更に環体５５と第二フック５０Ｂに対するスイベルＳの固定個所との間の距離が、前記環体５５と第一フック５０Ａにおける針先５０５との間の距離よりも長くなるように設定されているため、第二フック５０Ｂにおけるスピナーブレード６及びスイベルＳが、第一フック５０Ａとこれに接続されるアシストライン５１に絡んでしまうことがない。このため、スピナーブレード６の回転が阻害されることによる視覚的アピールの低下や、フッキングの阻害を回避して、特に捕食時の吸い込みが弱い真鯛やその他雑魚に対しても、良好な釣果を期待することができる。
【００２１】
〔他の実施例〕
本発明は上述した実施例を基本となる実施例とするものであるが、本発明の技術的思想の範囲で以下に示すような改変形態を採ることもできる。
まず図３に示すように、側面視において、第一フック５０Ａと第二フック５０Ｂとが、曲げ方向が同じになるように位置するようにセッティングするようにしてもよい。この場合も、環体５５と第二フック５０Ｂに対するスイベルＳの固定個所との間の距離が、前記環体５５と第一フック５０Ａにおける針先５０５との間の距離よりも長くなるように設定される。
【００２２】
また図１に示す実施例では、後方アイ４にのみ、アシストフック５を設けたが、前方アイ３のみ、あるいは前方アイ３と後方アイ４の双方に、アシストフック５を設けるようにすることもできる。
【符号の説明】
【００２３】
１      ルアー
２      ボディ
３      前方アイ
４      後方アイ
５      アシストフック
５０    フック
５０Ａ  第一フック
５０Ｂ  第二フック
５０１  チモト
５０２  シャンク
５０５  針先
５１    アシストライン
５２    括り糸
５３    セキ糸
５４    熱収縮チューブ
５５    環体
６      スピナーブレード
７      スプリットリング
Ｓ      スイベル
Ｔ      トレブルフック
【図１】
2020156322.tif 000003
【図２】
2020156322.tif 000004
【図３】
2020156322.tif 000005
【図４】
2020156322.tif 000006